【事件の表示】
　特許第３１１４０１２号「バックライトユニット及びバックライト」の請求項１ないし５に係る特許に対する特許異議の申立てについて、次のとおり決定する。
【結　論】
　訂正を認める。
　特許第３１１４０１２号の請求項１ないし５に係る特許を維持する。
【理　由】
１．手続の経緯
　特許第３１１４０１２号の請求項１ないし５に係る発明についての出願は、平成９年１１月２７日に特許出願され、平成１２年９月２９日にその発明についての特許権の設定登録がされ、その後、その特許について、異議申立人比気美保子により特許異議の申立てがなされ、取消の理由が通知され、その指定期間内である平成１３年１１月６日に訂正請求がなされたものである。
　
２．訂正の適否についての判断
(1) 訂正の内容
　特許権者が求めている訂正の内容は、以下ａ〜ｄのとおりである。
・訂正事項a
　特許請求の範囲請求項１に係る記載
「【請求項１】　液晶表示装置を駆動するための部品及びプリント基板を固定する領域を有するシャーシの前記領域の上に少なくとも反射板及び導光板を配してなり、光源から前記導光板のエッジに導入された照射光を前記反射板にて反射せしめ、前記導光板の前記反射板と反対の側に配された液晶表示装置を照射するバックライトユニットにおいて、前記反射板の少なくとも前記領域に対向する面に光吸収部を設けてあることを特徴とするバックライトユニット。」を
「【請求項１】　液晶表示装置を駆動するための部品及びプリント基板を固定する領域を有するシャーシの前記領域の上に少なくとも反射板及び導光板を配してなり、光源から前記導光板のエッジに導入された照射光を前記反射板にて反射せしめ、前記導光板の前記反射板と反対の側に配された液晶表示装置を照射するバックライトユニットにおいて、前記反射板の少なくとも前記領域に対向する面の前記領域に対応する部分に光吸収部を設けてあることを特徴とするバックライトユニット。」と訂正する。
　
・訂正事項ｂ
　特許請求の範囲請求項２に係る記載
「【請求項２】　注入成形後に形成された材料注入跡を有する導光板のエッジに照射光が導入され、導入された照射光が前記導光板に対向して配された反射板にて反射し、液晶表示装置を照射するバックライトユニットにおいて、前記反射板は、前記導光板に対向する面と反対側の面の、前記材料注入跡に対応する領域に光吸収部を設けてあることを特徴とするバックライトユニット。」を
「【請求項２】　注入成形後に形成された材料注入跡を有する導光板のエッジに照射光が導入され、導入された照射光が前記導光板に対向して配された反射板にて反射し、液晶表示装置を照射するバックライトユニットにおいて、前記反射板は、前記導光板に対向する面と反対側の面の前記材料注入跡に対応する領域に光吸収部を設け、前記導光板の材料注入跡を有する面側に突出していることを特徴とするバックライトユニット。」と訂正する。
　
・訂正事項ｃ
　明細書の段落番号【００１３】の
「【課題を解決するための手段】
　第１発明に係るバックライトユニットは、液晶表示装置を駆動するための部品及びプリント基板を固定する領域を有するシャーシの前記領域の上に少なくとも反射板及び導光板を配してなり、光源から前記導光板のエッジに導入された照射光を前記反射板にて反射せしめ、前記導光板の前記反射板と反対の側に配された液晶表示装置を照射するバックライトユニットにおいて、前記反射板の少なくとも前記領域に対向する面に光吸収部を設けてあることを特徴とする。」を、
「【課題を解決するための手段】
　第１発明に係るバックライトユニットは、液晶表示装置を駆動するための部品及びプリント基板を固定する領域を有するシャーシの前記領域の上に少なくとも反射板及び導光板を配してなり、光源から前記導光板のエッジに導入された照射光を前記反射板にて反射せしめ、前記導光板の前記反射板と反対の側に配された液晶表示装置を照射するバックライトユニットにおいて、前記反射板の少なくとも前記領域に対向する面の前記領域に対応する部分に光吸収部を設けてあることを特徴とする。」と訂正する。
　
・訂正事項ｄ
　明細書の段落番号【００１５】の
「第２発明に係るバックライトユニットは、注入成形後に形成された材料注入跡を有する導光板のエッジに照射光が導入され、導入された照射光が前記導光板に対向して配された反射板にて反射し、液晶表示装置を照射するバックライトユニットにおいて、前記反射板は、前記導光板に対向する面と反対側の面の、前記材料注入跡に対応する領域に光吸収部を設けてあることを特徴とする。」を、
「第２発明に係るバックライトユニットは、注入成形後に形成された材料注入跡を有する導光板のエッジに照射光が導入され、導入された照射光が前記導光板に対向して配された反射板にて反射し、液晶表示装置を照射するバックライトユニットにおいて、前記反射板は、前記導光板に対向する面と反対側の面の、前記材料注入跡に対応する領域に光吸収部を設け、前記導光板の材料注入跡を有する面側に突出していることを特徴とする。」と訂正する。
　
(2) 訂正の目的の適否、新規事項の有無、及び、特許請求の範囲の拡張・変更の存否
　上記訂正事項ａは、反射板の、液晶表示装置を駆動するための部品及びプリント基板を固定する領域に対応する部分に光吸収部を設ける点を、上記訂正事項ｂは、反射板が、導光板の材料注入跡を有する面側に突出している点を、それぞれ限定するものであり、特許請求の範囲の減縮を目的とした明細書の訂正に該当する。そして、前者は、特許明細書段落００２４に記載された事項から、後者は、同００３４に記載された事項から導き出せるものであるから、これらは新規事項の追加に該当せず、実質的に特許請求の範囲を拡張又は変更するものではない。
　また、上記訂正事項ｃ、ｄは、それぞれ上記訂正事項ａ、ｂに付随的に生じる記載の不備を解消したものであり、明瞭でない記載の釈明及び特許請求の範囲の減縮を目的とした訂正に該当し、新規事項の追加に該当しないし、実質的に特許請求の範囲を拡張又は変更するものではない。
　
(3) むすび
　したがって、上記訂正は、特許法第１２０条の４第２項及び同条第３項において準用する特許法第１２６条第２項及び第３項の規定に適合するので、当該訂正を認める。
　
３．特許異議の申立て
(1) 申立ての理由の概要
　申立人は、下記の甲第１ないし３号証を提出し、特許第３１１４０１２号の請求項１、３〜５に係る発明は、甲第１号証の出願の願書に最初に添付された明細書又は図面（以下、「先願明細書１」という。）に記載された発明と同一であり、同じく請求項１〜３，５に係る発明は、甲第２号証の出願の願書に最初に添付された明細書又は図面（以下、「先願明細書２」という。）に記載された発明と同一であるから、特許法第２９条の２の規定により、特許を受けることができない発明であって、同じく請求項２〜５に係る発明は、甲第３号証に記載された発明に基づいて当業者が容易に発明をすることができたものであるから、特許法第２９条第２項の規定により、特許を受けることができない発明であって、それら発明に係る特許は取り消されるべきものである旨主張している。
　甲第１号証：特願平８−３５６２８１号（特開平１０−１８８６３７号公報）
　甲第２号証：特願平９−２２０１５１号（特開平１０−１７０７２７号公報）
　甲第３号証：特開平９−２８８２１５号公報（以下、「刊行物３」という。）
　
(2) 本件発明
　上記２．で示したように上記訂正が認められるから、本件発明は、平成１３年１１月６日付けの訂正請求書により訂正された特許請求の範囲に記載されたとおりのものである。（請求項１及び２については、上記訂正事項ａ、ｂ参照。）
　
(3) 引用例に記載された発明
　先願明細書１には、
「バックライトユニットにおける支持ケースと対面する反射シートの対面側裏面に，上記支持ケースの透孔部以外のフレーム部平面形状に合わせて光吸収可能な色彩のインクによる光吸収面を印刷形成してなることを特徴とするバックライトユニットの輝度均一化装置。」（特許請求の範囲第１項）、
「本発明はかかる事情に鑑みてなされたもので，その解決課題とする処は，液晶バックライトを含めたこの種バックライトユニットにあって，このフレーム部形状の影を解消して，輝度の均一性を高度に確保するバックライトユニットの輝度均一化装置を提供するにある。」（段落０００４）、及び、
「バックライト１は，例えば透明矩形のアクリル透明樹脂製の透明基板の裏面に乱反射手段をスクリーン印刷し，一体成型し，又はレーザー光等によって後加工して形成具備したエッジライトパネル（導光板）２，該エッジライトパネル２の正面側（照明面側）に重合して配設した，例えば白色ポリエステル樹脂製にして半透明の光拡散シート又はプリズムシート３，上記エッジライトパネル２の背面側に同じく重合して配設した白色合成樹脂製の反射シート４と，エッジライトパネル２に入射光を供給する，例えば冷陰極管による一次光源５を具備してなり，また支持ケース１０は，正面側を開放し，バックライト１の厚みに応じた周縁部と，背面側でバックライト１を，支持するバックライト対面部と，これらによるバックライト装着部１１とを具備して，耐熱性合成樹脂製の射出成形品によるものとしてあり，該支持ケース１０の上記バックライト装着部１１にバックライト１を嵌入固定して，これを装着することにより，バックライトユニットＡを形成するものとしてある。・・・・・また支持ケース１０は，そのバックライト対面部１１を，本例にあってＬＣＤ機器に設置の液晶駆動回路を受入れる３ケ所の透孔部１３と，その上方の樹脂の肉盗みのための透孔部１４を透設し，その余のフレーム部１２でバックライト１の背面支持を行うようにした，透孔部１３，１４とフレーム部１２とによる穴あきフレーム状の，白色ポリカーボネート製の成形品によるものとしてある。
【００１０】このときバックライトユニットＡにおける支持ケース１０と対面する反射シート４の対面側裏面に，上記支持ケース１０の透孔部１３，１４以外のフレーム部１２平面形状に合わせて光吸収可能な色彩のインクによる光吸収面２０を印刷形成してあり，本例にあって上記光吸収面２０を，網点パターンによる光吸収面とし，・・・・・即ち本例の光吸収面２０は，光吸収可能な色彩のインクとして，例えば黒色又はグレー色のインクを用いて反射シート４のバックライト対面部に対面する裏面にスクリーン印刷を施すことによって印刷形成した網点パターン，即ち網点（ドット）２２を等間隔のマトリックス状に配置した所定の網点密度（面積比）を呈するものを用いたパターンによるものとしてある。」（段落０００７〜００１１）と記載され、
また、図１には、モジュール板１０、反射シート４、導光板２、プリズムシート３を備えたバックライトが、図２には、光吸収面２０を備えた反射シート４が、ぞれぞれ示されている。
　先願明細書２には、
「導光板２は、例えばアクリル（ＰＭＭＡ樹脂）を射出成形して断面楔型形状に形成され、端面でなる入射面２Ａより一次光源３の照明光を入射する。」（段落０００６）、
「フレームの桟に沿った輝度ムラを低減することができるサイドライト型面光源装置及び表示装置を提案しようとするものである。」（段落００１８）、及び、
「反射シート２１は、白色ＰＥＴフィルム等でなるシート状の乱反射部材に、反射率の低い灰色のインク２１Ａを部分的に印刷して光量補正面が形成される。ここで図２に示すように、この灰色のインク２１Ａは、導光板２と逆側の面に、フレーム１１の桟１１Ｂに重なるように、反射シート２１に選択的に印刷される。
【００４０】これにより反射シート２１は、この反射シート２１を透過した照明光を遮光し、この照明光がフレーム１１の桟１１Ｂにより反射して導光板２に入射しないようになされている。
【００４１】以上の構成において、蛍光ランプ９から射出された照明光は（図１）、直接に、又はリフレクター１０で反射した後、入射面２Ａより導光板２の内部に入射し、この照明光が斜面と出射面との間で反射を繰り返しながら、導光板２の内部を伝搬する。」（段落００３９〜００４１）と記載され、
また、図１には、フレーム１１，反射シート２１，導光板２を備えたサイドライト型面光源装置が示されている。
　申立人が提出した刊行物３には、
「断面くさび形をした透明な導光板の最大厚となる側面に線光源を配置し、導光板の裏面に光拡散透過部を設け、その裏面に裏面反射板を配置し、裏面反射板の導光板に対向する面の周縁部のうち少なくとも線光源近傍に光吸収層を帯状に形成し、導光板の表面に拡散シートを配置し、線光源表面の導光板と反対側を覆うように光源反射板を配置した面発光装置において、導光板の四側面のうち一つまたは複数に射出成形後に残されたゲート痕近傍では、光吸収層の幅が大きくなっていることを特徴とする面発光装置。」（特許請求の範囲第１項）、
「断面がくさび形をした導光板１は、射出成形法によって製造されるため、四側面のうち一つまたは複数にゲート痕８が残されている（図１６参照）。・・・・・上記のように粗い切断面を呈するゲート痕８が導光板１の側面に残ると、面発光装置に次のような問題が生ずる。すなわち、線光源２より導光板１内に導かれて側面に達した光がゲート痕８において散乱反射するので、面発光装置の表示領域内のゲート痕８近傍において、前記散乱反射した光が表示領域内に大量に出射し、輝度が周囲より高くなる場合が発生する。」（段落０００４〜０００６）、及び、
「本発明は、図１に示すように光吸収層７の幅をゲート痕８近傍で大きくし、表示領域内のゲート痕８近傍における光の出射を抑制するものである。」（段落００２６）と記載され、
また、図１には、裏面反射板４の、導光板１のゲート痕８に対応する部分を光吸収層７を設けた面発光装置が示されている。
　
(4) 対比・判断
(ア)請求項１に係る発明
　本件の請求項１に係る発明（以下、「本件発明１」という。）と先願明細書１，２に記載されたものとを比較すると、先願明細書１には、支持ケース１０の形状に合わせて反射シート４に光吸収面２０を設ける点、先願明細書２には、フレーム１１の形状に合わせて反射シート２１にインク２１Ａを部分的に印刷する点が、それぞれ記載されているものの、両者には、本件発明１の構成要件である「反射板の少なくとも液晶表示装置を駆動するための部品及びプリント基板を固定する領域に対向する面の前記領域に対応する部分に光吸収部を設け」る点が記載されておらず、また、実質的にこの点と同一となる記載も見当たらない。
　よって、本件発明１は、先願明細書１、２に記載された各発明と同一であるとはいえない。
　
(イ)請求項２に係る発明
・特許法第２９条第２項について
　本件の請求項２に係る発明（以下、「本件発明２」という。）と刊行物３に記載されたものとを比較すると、刊行物３には、裏面反射板は、導光板に対向する面と反対側の面のゲート痕に対応する領域に光吸収層を設けていることが記載されているものの、本件発明２の構成要件である「反射板は、前記導光板に対向する面と反対側の面の前記材料注入跡に対応する領域に光吸収部を設け、前記導光板の材料注入跡を有する面側に突出している」点が、記載も示唆もされていない。
　そして、本件発明２は、この点により「光吸収部２３がゲート注入部３１ａ側に突出しているので、光吸収部２３がゲート注入部３１ａをさらに広く覆うことができ、ゲート注入部３１ａ近傍の異常放光をもたらすことなく吸収することができる」（特許明細書段落００３４）という特許明細書記載の顕著な効果を奏するものである。
　よって、本件発明２は、申立人が提出した刊行物３に記載された発明に基づいて当業者が容易に発明できたものではない。
　
・特許法第２９条の２について
　本件発明２と先願明細書２に記載されたものとを比較すると、異議申立人が異議申立書で主張するように、仮に、先願明細書２に、反射板が、導光板に対応する面と反対側の面の、材料注入跡に対応する領域に光吸収部を設けたことが、記載されているとしても、本件発明１の構成要件である「反射板は、前記導光板に対向する面と反対側の面の前記材料注入跡に対応する領域に光吸収部を設け、前記導光板の材料注入跡を有する面側に突出している」点が記載されておらず、また、実質的にこの点と同一となる記載も見当たらない。
　よって、本件発明２は、先願明細書２に記載された発明と同一であるとはいえない。
　
(ウ)請求項３ないし５に係る発明について
　本件請求項３ないし５に係る発明は、本件発明１または２を構成要件に含むものであるから、上記(ア)、(イ)で述べた理由により、先願明細書１，２に記載された発明と同一であるとも、刊行物３に記載された発明に基づいて当業者が容易に発明できたものであるともいえない。
　
(5) むすび
　以上のとおりであるから、特許異議申立ての理由及び証拠によっては、本件請求項１ないし５に係る発明の特許を取り消すことはできない。
　また、他に本件請求項１ないし５に係る発明の特許を取り消すべき理由を発見しない。
　よって、結論のとおり決定する。
【異議決定日】
平成１３年１１月２８日（２００１．１１．２８）
【訂正の要旨】
（１）訂正の内容
・訂正事項ａ
　特許請求の範囲請求項１に係る記載
「【請求項１】　液晶表示装置を駆動するための部品及びプリント基板を固定する領域を有するシャーシの前記領域の上に少なくとも反射板及び導光板を配してなり、光源から前記導光板のエッジに導入された照射光を前記反射板にて反射せしめ、前記導光板の前記反射板と反対の側に配された液晶表示装置を照射するバックライトユニットにおいて、前記反射板の少なくとも前記領域に対向する面に光吸収部を設けてあることを特徴とするバックライトユニット。」を
「【請求項１】　液晶表示装置を駆動するための部品及びプリント基板を固定する領域を有するシャーシの前記領域の上に少なくとも反射板及び導光板を配してなり、光源から前記導光板のエッジに導入された照射光を前記反射板にて反射せしめ、前記導光板の前記反射板と反対の側に配された液晶表示装置を照射するバックライトユニットにおいて、前記反射板の少なくとも前記領域に対向する面の前記領域に対応する部分に光吸収部を設けてあることを特徴とするバックライトユニット。」と訂正する。
・訂正事項ｂ
　特許請求の範囲請求項２に係る記載
「【請求項２】　注入成形後に形成された材料注入跡を有する導光板のエッジに照射光が導入され、導入された照射光が前記導光板に対向して配された反射板にて反射し、液晶表示装置を照射するバックライトユニットにおいて、前記反射板は、前記導光板に対向する面と反対側の面の、前記材料注入跡に対応する領域に光吸収部を設けてあることを特徴とするバックライトユニット。」を
「【請求項２】　注入成形後に形成された材料注入跡を有する導光板のエッジに照射光が導入され、導入された照射光が前記導光板に対向して配された反射板にて反射し、液晶表示装置を照射するバックライトユニットにおいて、前記反射板は、前記導光板に対向する面と反対側の面の前記材料注入跡に対応する領域に光吸収部を設け、前記導光板の材料注入跡を有する面側に突出していることを特徴とするバックライトユニット。」と訂正する。
・訂正事項ｃ
　明細書の段落番号【００１３】の
「【課題を解決するための手段】
　第１発明に係るバックライトユニットは、液晶表示装置を駆動するための部品及びプリント基板を固定する領域を有するシャーシの前記領域の上に少なくとも反射板及び導光板を配してなり、光源から前記導光板のエッジに導入された照射光を前記反射板にて反射せしめ、前記導光板の前記反射板と反対の側に配された液晶表示装置を照射するバックライトユニットにおいて、前記反射板の少なくとも前記領域に対向する面に光吸収部を設けてあることを特徴とする。」を、
「【課題を解決するための手段】
　第１発明に係るバックライトユニットは、液晶表示装置を駆動するための部品及びプリント基板を固定する領域を有するシャーシの前記領域の上に少なくとも反射板及び導光板を配してなり、光源から前記導光板のエッジに導入された照射光を前記反射板にて反射せしめ、前記導光板の前記反射板と反対の側に配された液晶表示装置を照射するバックライトユニットにおいて、前記反射板の少なくとも前記領域に対向する面の前記領域に対応する部分に光吸収部を設けてあることを特徴とする。」と訂正する。
・訂正事項ｄ
　明細書の段落番号【００１５】の
「第２発明に係るバックライトユニットは、注入成形後に形成された材料注入跡を有する導光板のエッジに照射光が導入され、導入された照射光が前記導光板に対向して配された反射板にて反射し、液晶表示装置を照射するバックライトユニットにおいて、前記反射板は、前記導光板に対向する面と反対側の面の、前記材料注入跡に対応する領域に光吸収部を設けてあることを特徴とする。」を、
「第２発明に係るバックライトユニットは、注入成形後に形成された材料注入跡を有する導光板のエッジに照射光が導入され、導入された照射光が前記導光板に対向して配された反射板にて反射し、液晶表示装置を照射するバックライトユニットにおいて、前記反射板は、前記導光板に対向する面と反対側の面の、前記材料注入跡に対応する領域に光吸収部を設け、前記導光板の材料注入跡を有する面側に突出していることを特徴とする。」と訂正する。
（５４）【発明の名称】
バックライトユニット及びバックライト
（５７）【特許請求の範囲】
　【請求項１】　液晶表示装置を駆動するための部品及びプリント基板を固定する領域を有するシャーシの前記領域の上に少なくとも反射板及び導光板を配してなり、光源から前記導光板のエッジに導入された照射光を前記反射板にて反射せしめ、前記導光板の前記反射板と反対の側に配された液晶表示装置を照射するバックライトユニットにおいて、前記反射板の少なくとも前記領域に対向する面の前記領域に対応する部分に光吸収部を設けてあることを特徴とするバックライトユニット。
　【請求項２】　注入成形後に形成された材料注入跡を有する導光板のエッジに照射光が導入され、導入された照射光が前記導光板に対向して配された反射板にて反射し、液晶表示装置を照射するバックライトユニットにおいて、前記反射板は、前記導光板に対向する面と反対側の面の前記材料注入跡に対応する領域に光吸収部を設け、前記導光板の材料注入跡を有する面側に突出していることを特徴とするバックライトユニット。
　【請求項３】　前記光吸収部は、灰色に着色せしめてある請求項１又は２記載のバックライトユニット。
　【請求項４】　前記光吸収部は、複数のドットで形成してある請求項１乃至３のいずれかに記載のバックライトユニット。
　【請求項５】　請求項１乃至４のいずれかのバックライトユニットに、前記導光板のエッジに対向せしめて線状光源を配してあることを特徴とするバックライト。
【発明の詳細な説明】
　【０００１】
　【発明の属する技術分野】
　本発明は、液晶表示装置のためのエッジライト方式のバックライトユニット及びバックライトに関する。
　【０００２】
　【従来の技術】
　液晶テレビ、携帯用パーソナルコンピュータ等の液晶表示装置用のバックライトユニットには、光源からの照射光が導光板のサイドエッジから導入され、導入された光が導光板の一面から出光されて液晶表示装置を照射するエッジライト方式が多く用いられている。図７はエッジライト方式のバックライトユニットの略示斜視図である。
　【０００３】
　図中１はシャーシであり、合成樹脂製である。図８にシャーシの平面視構造を示す。図に示すように、シャーシ１は略矩形状の枠構造を有し、底面がパターン化された形状に形成されている。シャーシ１の底面には、液晶表示装置の駆動のための部品及びプリント基板等を固定するための領域Ａが形成されており、この領域Ａは複雑なパターン形状を有している。シャーシ１上には、反射板２、導光板３、拡散板４、第１及び第２のプリズムシート５，６、拡散板７がこの順に重ねられている。プリズムシートは、出光側の面に複数の平行な溝が形成されており、断面視で鋸歯状を有している。第１及び第２のプリズムシートは、溝方向が互いに直交する向きに配されている。なお図面では、判り易くするために、各構成部品は密接していない状態を図示している。このようなバックライトユニットに、導光板３のサイドエッジに対向するように線状光源（図示せず）を配設することによりバックライトが構成される。
　【０００４】
　導光板３は例えばアクリル樹脂で形成されており、厚みにテーパを有する楔形状であり、上面（出光面）と下面（反射面）とが非平行に形成されている。導光板の厚肉側の面（導入面）に近く配された線状光源からの照射光が導入されるようになっている。導光板３に導入された照射光は下側の反射板２で反射され、散乱されて、導光板３の上面（表面）から出光される。そして、この光は導光板３の上側の拡散板４を透過し、第１及び第２のプリズムシート５，６を透過し、さらに拡散板７を透過して拡散，集光を繰り返し、上側に配された液晶表示装置（図示せず）を照射するようになっている。
　【０００５】
　このような構成のバックライトユニットは、導光板３に導入された照射光が反射板２にて反射される際に、反射板２で反射されずに透過する光が僅かに存在し、その透過光がシャーシ１を照射する。シャーシ１は、上述したように、液晶表示装置の駆動部品及びプリント基板のための複雑な形状の領域Ａを有している。この領域Ａに反射板２から透過された光が照射された場合に、ここで乱反射が生じ、液晶表示装置の表示面に発光ムラが生じるという問題があった。
　【０００６】
　一方、上述した如き構造の導光板３は注入成形により製造される。即ち、合成樹脂を金型に注入することにより、導光板３は所定の形状に形成される。金型に注入した合成樹脂が硬化した後に、注入口付近で突出した形状に形成された部分をカットして導光板３を仕上げる。合成樹脂は導光板３の厚肉側から注入され、導光板３の注入箇所をカットした部分（以下注入ゲート部という）３１ａは厚肉側の面（導入面）３１に形成される。図９は、導光板３と光源８との配置関係を示す斜視図である。図に示すように、光源８は導光板３の導入面３１に対向して配されており、光源８からの照射光は導入面３１から導入されるようになっている。導入面３１の略中央には注入ゲート部３１ａが形成されている。
　【０００７】
　注入ゲート部１３ａは、上述したように、硬化した樹脂をカットして形成されているので、その表面は平滑性が低い。従って、光源８からの照射光が導入面３１から導入される際に、注入ゲート部１３ａの近傍で異常放光が生じ（異常放光領域Ｂ）、液晶表示装置の表示面に部分的に発光ムラが生じるという問題があった。
　【０００８】
　【発明が解決しようとする課題】
　このような液晶表示装置の表示面に発光ムラが生じるという問題を解決するためには、以下の対策が考えられる。まず、シャーシ１での乱反射に起因する反射ムラを防止するためには、シャーシ１の全体を黒色に着色することが考えられる。これにより、シャーシ１の底部で光が吸収され、発光ムラが抑制される。しかしながら、シャーシ１全体を黒色に着色することにより、発光効率が低下して液晶表示装置の表示面の輝度が低くなるという問題があった。また、シャーシ１の複雑な構造の部分のみを黒色に着色することにより、全体の輝度を下げることなく発光ムラを低減することができるが、このようなシャーシ１を製造するのに手間がかかるという問題があった。
　【０００９】
　さらに、発光ムラを防止するために、反射板２に光が透過しにくい材質のもの又は厚手のものを用いたり、反射板２を２枚重ねて用いることが考えられる。しかしながら、このような反射板２を用いた場合はバックライトユニットが厚くなったり、コストが増加するという問題があった。
　【００１０】
　次に、導光板３の注入ゲート部３１ａに起因する発光ムラを防止する対策として、注入ゲート部３１ａを導光板３の肉薄側の面に形成することが考えられる。しかしながら、肉薄側から合成樹脂を注入して形成した場合は、形成された導光板に大きな残留歪が生じ、品質上好ましくないという問題があった。
　【００１１】
　本発明は、かかる事情に鑑みてなされたものであり、反射板のシャーシに対向する面の一部または全部に、光を吸収する領域を設けることにより、シャーシでの光の乱反射を防止できるバックライトユニット及びバックライトを提供することを目的とする。
　【００１２】
　また、本発明は、反射板の前記導光板の材料注入口に対応する領域に、光を吸収する領域を設けることにより、前記材料注入口の近傍での異常放光に起因する発光ムラを防止できるバックライトユニット及びバックライトを提供することを目的とする。
　【００１３】
　【課題を解決するための手段】
　第１発明に係るバックライトユニットは、液晶表示装置を駆動するための部品及びプリント基板を固定する領域を有するシャーシの前記領域の上に少なくとも反射板及び導光板を配してなり、光源から前記導光板のエッジに導入された照射光を前記反射板にて反射せしめ、前記導光板の前記反射板と反対の側に配された液晶表示装置を照射するバックライトユニットにおいて、前記反射板の少なくとも前記領域に対向する面の前記領域に対応する部分に光吸収部を設けてあることを特徴とする。
　【００１４】
　第１発明にあっては、前記反射板を透過した光を前記光吸収部で吸収するので、前記シャーシの液晶表示装置を駆動するための部品及びプリント基板を固定する領域にまで光が到達せず、乱反射することがない。これにより、液晶表示装置の表示面の発光ムラが防止される。また、例えばシャーシの構造が複雑な部分に対向する反射板の領域に部分的に光吸収部を設けた場合は、シャーシの構造が複雑な部分では光が乱反射しやすいが、透過した光は光吸収部で吸収されるので光がシャーシに到達することがなく、乱反射は防止される。
　【００１５】
　第２発明に係るバックライトユニットは、注入成形後に形成された材料注入跡を有する導光板のエッジに照射光が導入され、導入された照射光が前記導光板に対向して配された反射板にて反射し、液晶表示装置を照射するバックライトユニットにおいて、前記反射板は、前記導光板に対向する面と反対側の面の前記材料注入跡に対応する領域に光吸収部を設け、前記導光板の材料注入跡を有する面側に突出していることを特徴とする。
　【００１６】
　第２発明にあっては、導光板を注入形成した際に材料注入口の部分をカットするので、材料注入跡が残る。材料注入跡は平滑性に乏しいために、光を導入した際に注入口近傍で異常放光が生じるが、異常放光が生じる領域に対向する反射板の領域に光吸収部を設けているので、異常放光を緩和できる。これにより、液晶表示装置の表示面の発光ムラが防止される。
　【００１７】
　第３発明に係るバックライトユニットは、第１又は第２発明において、前記吸収部は、灰色に着色せしめてあることを特徴とする。
　【００１８】
　第３発明にあっては、光吸収部は光を吸収する色である灰色に印刷されている。バックライトユニットの構成部品の寸法，光学的条件等に応じて、光吸収部の灰色の明暗の程度を設定することにより、液晶表示装置の表示面の輝度を低げることなく、発光ムラを防止することができる。
　【００１９】
　第４発明に係るバックライトユニットは、第１乃至第３発明のいずれかにおいて、前記光吸収部は、複数のドットで形成してあることを特徴とする。
　【００２０】
　第４発明にあっては、光吸収部には複数のドットが形成されており、ドット密度に応じて光吸収部の明暗が調整される。バックライトユニットの構成部品の寸法，光学的条件等に応じて、光吸収部の明暗の程度を設定することにより、液晶表示装置の表示面の輝度を低げることなく、発光ムラを防止することができる。
　【００２１】
　第５発明に係るバックライトは、第１乃至第４発明のバックライトユニットに、導光板のエッジに対向せしめて線状光源を配してあることを特徴とする。
　【００２２】
　第５発明にあっては、バックライトユニットに線状光源を取り付けることにより、バックライトが形成される。光源は導光板のエッジに対向するように配され、光源からの照射光が導光板に導入される。
　【００２３】
　【発明の実施の形態】
　以下、本発明をその実施の形態を示す図面に基づき具体的に説明する。
実施の形態１．
　図１は、本発明の実施の形態１のバックライトユニットを構成する反射板及びシャーシの構造を示す斜視図である。バックライトユニットは、シャーシ１上に反射板２０，導光板，第１の拡散板，第１及び第２のプリズムシート，及び第２の拡散板をこの順に重ね、互いに密接せしめて構成している。なお図面ではシャーシ１及び反射板２０のみを示しており、判り易くするために、シャーシ１及び反射板２０は密接していない状態を図示している。
　【００２４】
　シャーシ１は合成樹脂製であり、図に示すように、略矩形状の枠構造を有し、底面がパターン化された形状に形成されている。シャーシ１の底面には、液晶表示装置の駆動のための部品及びプリント基板等を固定するための領域Ａが形成されており、この領域Ａは複雑なパターン形状を有している。反射板２０はＰＥＴ（ポリエチレンテレフタレート）製であり、シャーシ１に対向する面（裏面）の、領域Ａに対応する部分に矩形状の光吸収部２１を設けてある。図２は、実施の形態１の反射板の構成を示す平面図であり、裏面側から見た図を示している。光吸収部２１は灰色を有しており、例えばアクリル系の蒸発乾燥型のインクをシルクスクリーン印刷することにより形成される。
　【００２５】
　このような構成のバックライトユニットに線状光源（図示せず）を取付けたバックライトでは、線状光源からの照射光が導光板のエッジから導入され、導光板の底面及び反射板２０の表面で反射される。導入された光は導光板の上面（表面）から出光され、導光板の上側に配された液晶表示装置を照射するようになっている。このとき、導光板に導入された照射光のうち、反射板２０の表面から裏面に透過する光が僅かに存在するが、反射板２０の裏面に設けられた光吸収部２１により吸収されてシャーシ１まで到達しない。従って、シャーシ１での乱反射が防止され、液晶表示装置の表示面に発光ムラが生じない。光吸収部２１の色の明暗は、反射板２０の透過光量及び表示面の輝度に影響を与え、表示面の輝度が低下しない程度に光を吸収する色が好ましい。
　【００２６】
　なお、反射板２０の材質及び形状は上述したものに限らない。また、光吸収部２１は上述した形状に限らず、またシャーシ１の領域Ａとは別の領域に対応し大部分に設けてあっても良く、全面に設けてあっても良い。
　【００２７】
　さらに、インク材及び印刷方法は上述したものに限らず、光反射色以外の色に着色されていれば良い。また、光吸収色のテープを貼着してあっても良い。さらにまた、光吸収部２１の領域に、光吸収色の複数のドットが印刷されてあっても良い。
　【００２８】
実施の形態２．
　図３は、本発明の実施の形態２の反射板の構造を示す平面図であり、裏面から見た図を示している。図４は、実施の形態２のバックライトユニットの反射板と導光板とが重なった状態を示した斜視図であり、判り易くするために、図では反射板２２及び導光板３は密接していない状態を示している。実施の形態２のバックライトユニットは、反射板２２上に導光板３，第１の拡散板，第１及び第２のプリズムシート，及び第２の拡散板をこの順に重ね、互いに密接せしめて構成している。なお図４では反射板２２及び導光板３のみを示している。
　【００２９】
　前述したように、導光板３は例えばアクリル樹脂で形成されており、厚みにテーパを有する楔形状であり、上面（出光面）と下面（反射面）とが非平行に形成されている。導光板３は金型を用いた注入成形により形成され、金型に注入した合成樹脂が硬化した後に注入口付近をカットする。こうして形成された注入跡である注入ゲート部３１ａが、厚肉側の側面３１に設けられている。反射板２２はＰＥＴ製であり、導光板３に対向する面と反対側の面（裏面）に光吸収部２３を設けている。光吸収部２３は導光板３の注入ゲート部３１ａ近傍領域で生じる異常放光の領域に対応する位置に設けられ、光吸収部２３には灰色又は黒色のインクを用いて複数の吸収ドット２３ａ，２３ａ…が印刷されている。
　【００３０】
　このような構成のバックライトユニットに線状光源（図示せず）を取付けたバックライトでは、線状光源からの照射光が導光板３のエッジから導入され、反射板２２の表面で反射される。導入された光は導光板３の上面（表面）から出光され、導光板３の上側に配された液晶表示装置を照射するようになっている。このとき、導光板３の注入ゲート部３１ａで乱反射が生じてその近傍に異常放光領域Ｂが形成されるが、反射板２２の裏面に設けた光吸収部２３により光が吸収され、異常放光が緩和される。これにより、液晶表示装置の表示面に発光ムラが生じない。
　【００３１】
　なお、光吸収部２３は吸収ドット２３ａ，２３ａ…の形成密度により、異常放光の緩和程度を調整することができる。ドット密度を高く形成した場合は放光の吸収が多くなるが、導光板３の注入ゲート部３１ａ近傍領域の輝度が低くなる。逆にドット密度を低く形成した場合は、放光の吸収が少なくなる。導光板３からの放光状態に応じて、光吸収部２３のドット密度を設定することにより、表示面の輝度を低下させることなく異常放光を緩和することができる。
　【００３２】
　また、光吸収部２３の形成領域は、光吸収部２３の異常放光が生じる領域Ｂの形状寸法と同程度に形成することにより、又は僅かに大きく形成することにより、さらに異常放光の緩和程度を適切にできる。
　【００３３】
実施の形態３．
　次に、反射板の寸法を導光板よりも大きくしたバックライトユニットについて説明する。図５は、実施の形態３の反射板及び導光板の構成を示す斜視図である。反射板２４及び導光板３は、反射板２４の表面と導光板３の裏面とを密接させて重ねてある。反射板２４は導光板３よりも大なる寸法を有しており、導光板３の導入面３１、即ち導光板３の注入ゲート３１ａが形成された面側に所定長さだけ突出している。反射板２４の裏面には光吸収部２３が設けられている。光吸収部２３は、導光板３よりも突出している端部を含んで導光板３の異常放光領域Ｂを覆う領域に形成されている。その他の構成は上述した実施の形態２と同様であり、その説明を省略する。
　【００３４】
　このような構成のバックライトユニット及びバックライトは、実施の形態２と同様の効果を得、さらに反射板２４が導光板３よりも大きな寸法を有し、ゲート注入部３１ａ側に突出しているので、光吸収部２３がゲート注入部３１ａをさらに広く覆うことができ、ゲート注入部３１ａ近傍の異常放光をもらすことなく吸収することができる。
　【００３５】
実施の形態４．
　さらに、注入エッジ部近傍の異常放光を緩和できるバックライトユニットについて説明する。図６は、実施の形態４の反射板及び導光板の構成を示す斜視図である。反射板２４及び導光板３０は、反射板２４の表面と導光板３０の裏面とを密接させて重ねてある。反射板２４の裏面には光吸収部２３が設けられており、導光板３０の光の導入方向に長さＬを有している。導光板３０の裏面には白色ドット３２，３２…が形成されており、導光板３０に導入された光の反射を補助する。白色ドット３２，３２…は、導光板３０の注入ゲート３１ａ側の所定領域には形成されておらず、この非形成領域は光の導入方向に長さＬを有している。その他の構成は上述した実施の形態３と同様であり、その説明を省略する。
　【００３６】
　このような構成のバックライトユニット及びバックライトは、実施の形態３と同様の効果を得、さらに、導光板３０に形成された白色ドット３２，３２…が、ゲート注入部３１ａ近傍には形成されていないので、異常放光領域Ｂにおける光の反射が抑制され、異常放光を緩和することができる。
　【００３７】
　さらに、上述した光吸収部２３はドットの印刷により形成された場合を説明しているが、これに限るものではなく、光吸収部２３全域が灰色のような光吸収色に印刷された状態、いわゆる、べた印刷で形成してあっても良い。さらにまた、インク材及び印刷方法は上述したものに限らず、例えばモノトーン色のような光を吸収する色に着色されていれば良く、印刷に限らず、光吸収色のテープを貼着してあっても良い。
　【００３８】
　【発明の効果】
　以上のように、本発明においては、反射板に光吸収部を設けて反射板の透過光を吸収するので、シャーシの構造が複雑な部分での乱反射に起因する過度放光を抑制でき、液晶表示装置の表示面の発光ムラをなくすことができる。また、反射板に設けた光吸収部により、導光板の材料注入跡における異常放光を吸収するので、液晶表示装置の表示面の発光ムラをなくすことができる等、本発明は、優れた効果を奏する。
【図面の簡単な説明】
　【図１】
　本発明の実施の形態１のバックライトユニットを構成する反射板及びシャーシの構造を示す斜視図である。
　【図２】
　実施の形態１の反射板の構成を示す平面図である。
　【図３】
　本発明の実施の形態２の反射板の構造を示す平面図である。
　【図４】
　実施の形態２のバックライトユニットの反射板と導光板とが重なった状態を示した斜視図である。
　【図５】
　実施の形態３の反射板及び導光板の構成を示す斜視図である。
　【図６】
　実施の形態４の反射板及び導光板の構成を示す斜視図である。
　【図７】
　エッジライト方式の従来のバックライトユニットの構成図である。
　【図８】
　シャーシの構造を示す平面図である。
　【図９】
　従来の導光板と光源との配置関係を示す斜視図である。
　【符号の説明】
　１　シャーシ
　２，２０，２２，２４　反射板
　３，３０　導光板
　２１，２３　光吸収部
　２３ａ　吸収ドット
　３１ａ　注入ゲート部
　３２　白色ドット